(57)【要約】【課題】携帯電話とテレビを連係させる。【解決手段】移動体端末は、ネットワークを介してウェブサイトからのコンテンツデータを受信して表示する機能と、当該移動体端末を一意に特定するための識別情報を所定の通信手段により表示装置へ出力する機能を備える。表示装置は、移動体端末からその識別情報を所定の通信手段を経由して受信した場合に、当該表示装置を一意に特定するための識別情報を移動体端末の識別情報とともにネットワーク経由で管理装置へ送信する機能と、管理装置から送信されたコンテンツデータを表示する機能を備える。管理装置は、表示装置の識別情報と移動体端末の識別情報を受信した場合にそれらの識別情報を互いに関連付けた形で保持する機能と、関連付けられた識別情報を利用して、移動体端末からのリクエストに応じたコンテンツデータを取得して移動体端末へ送信する機能を備える。【選択図】図４
2008278266.tif 000002
【特許請求の範囲】
【請求項１】
移動体端末、表示装置、およびこれらとネットワークを介して接続される管理装置を備え、
前記移動体端末は、
前記ネットワークを介してウェブサイトからのコンテンツデータを受信して表示する機能と、
当該移動体端末を一意に特定するための識別情報を所定の通信手段により前記表示装置へ出力する機能と、
ユーザからのウェブサイトへの入力を受け付けたとき、その入力データを前記管理装置へ送信する機能と、を備え、
前記表示装置は、
前記移動体端末からその識別情報を所定の通信手段を経由して受信した場合に、当該表示装置を一意に特定するための識別情報を前記移動体端末の識別情報とともにネットワーク経由で前記管理装置へ送信する機能と、
前記管理装置から送信されたコンテンツデータを表示する機能と、を備え、
前記管理装置は、
前記表示装置の識別情報と前記移動体端末の識別情報を受信した場合にそれらの識別情報を互いに関連付けた形で保持する機能と、
前記移動体端末からのリクエストに応じたコンテンツデータを取得して前記移動体端末に送信する機能と、
前記移動体端末から前記入力データを受信すると、該入力データをウェブサイトへ転送してその結果を関連付けられた前記表示装置へ送信する機能と、を備える
ことを特徴とする情報表示システム。
【請求項２】
前記移動体端末は、前記表示装置に表示されるコンテンツデータを制御するためのコントローラとして当該移動体端末を動作せしめる機能をさらに備え、移動体端末をコントローラに切り替えることを通知する切替信号をユーザの指示に応じて前記所定の通信手段により前記表示装置へ出力し、
前記表示装置は、前記切替信号を前記管理装置へ転送し、
前記管理装置は、前記切替信号を受け取ると、前記移動体端末からのリクエストに応じたコンテンツデータをネットワークを介して前記表示装置へ送信することを特徴とする請求項１に記載の情報表示システム。
【請求項３】
前記表示装置に表示中のコンテンツデータに文字入力欄が含まれる場合、前記移動体端末は、ユーザの指示に応じて、文字入力を移動体端末において行うことを通知する第２の切替信号を前記管理装置へ送信し、
前記管理装置は、前記第２の切替信号を受け取ると、前記移動体端末からの入力データをウェブサイトに転送してその結果を前記表示装置へ送信することを特徴とする請求項２に記載の情報表示システム。
【発明の詳細な説明】
【技術分野】
【０００１】
本発明は、ウェブコンテンツを表示する表示システムに関し、とくに移動体端末と表示装置を用いてウェブコンテンツの表示を連係させる技術に関する。
【背景技術】
【０００２】
従来、携帯電話機とデジタルテレビとを連係させて、表示画面のサイズに制限のある携帯電話機を、画面サイズの大きいデジタルテレビで補完するシステムが知られている（例えば、特許文献１参照）。
【特許文献１】特開２００２−１０１４５７号公報
【発明の開示】
【発明が解決しようとする課題】
【０００３】
しかしながら、上記特許文献１の技術では、デジタルテレビと携帯電話機の役割が固定されており、デジタルテレビと携帯電話機で同一のコンテンツを同時に閲覧することは想定されていない。
【０００４】
本発明はこうした課題に鑑みてなされたものであり、その目的は、デジタルテレビなどの表示装置と携帯電話機などの移動体端末との間で、ネットワークを介して取得されるコンテンツデータの閲覧を切り替えるための技術を提供することにある。
【課題を解決するための手段】
【０００５】
本発明のある態様の情報表示システムは、移動体端末、表示装置、およびこれらとネットワークを介して接続される管理装置を備える。移動体端末は、ネットワークを介してウェブサイトからのコンテンツデータを受信して表示する機能と、当該移動体端末を一意に特定するための識別情報を所定の通信手段により表示装置へ出力する機能と、ユーザからのウェブサイトへの入力を受け付けたとき、その入力データを管理装置へ送信する機能と、を備える。表示装置は、移動体端末からその識別情報を所定の通信手段を経由して受信した場合に、当該表示装置を一意に特定するための識別情報を移動体端末の識別情報とともにネットワーク経由で管理装置へ送信する機能と、管理装置から送信されたコンテンツデータを表示する機能と、を備える。管理装置は、表示装置の識別情報と移動体端末の識別情報を受信した場合にそれらの識別情報を互いに関連付けた形で保持する機能と、移動体端末からのリクエストに応じたコンテンツデータを取得して移動体端末へ送信する機能と、移動体端末から入力データを受信すると、該入力データをウェブサイトへ転送してその結果を関連付けられた表示装置へ送信する機能と、を備える。
【０００６】
この態様によると、移動体端末と表示装置の関連付けを行い、両者を連係させることで、移動体端末で閲覧しているコンテンツデータを表示装置でも同時に閲覧することが可能になる。
【０００７】
移動体端末は、表示装置に表示されるコンテンツデータを制御するためのコントローラとして当該移動体端末を動作せしめる機能をさらに備え、移動体端末をコントローラに切り替えることを通知する切替信号をユーザの指示に応じて所定の通信手段により表示装置へ出力し、表示装置は、切替信号を管理装置へ転送し、管理装置は、切替信号を受け取ると、移動体端末からのリクエストに応じたコンテンツデータをネットワークを介して表示装置へ送信してもよい。これによると、切替信号の受信を契機として、移動体端末を表示装置のコントローラとして機能させることが可能になる。
【０００８】
表示装置に表示中のコンテンツデータに文字入力欄が含まれる場合、移動体端末は、ユーザの指示に応じて、文字入力を移動体端末において行うことを通知する第２の切替信号を管理装置へ送信し、管理装置は、第２の切替信号を受け取ると、移動体端末からの入力データをウェブサイトに転送してその結果を表示装置へ送信してもよい。これによると、表示装置と移動体端末とで同一のコンテンツデータを表示しているときに文字入力の必要が生じた場合は、文字入力を移動体端末上で実施するように切り替えることができる。
【０００９】
なお、以上の構成要素の任意の組合せ、本発明の表現を方法、装置、システム、記録媒体、コンピュータプログラムなどの間で変換したものもまた、本発明の態様として有効である。
【発明の効果】
【００１０】
本発明によれば、移動体端末と表示装置の関連付けを行い両者を連係させることで、移動体端末で閲覧しているコンテンツデータを表示装置でも同時に閲覧することが可能になる。
【発明を実施するための最良の形態】
【００１１】
図１は、デジタルテレビ（以下、「ＤＴＶ」と表記する）７００と、携帯電話機やＰＤＡ（Personal Digital Assistant）などの移動体端末８００とを含む、本発明の一実施形態に係る情報表示システム１０を示す。
【００１２】
ＤＴＶ７００は、インターネット等のネットワーク５００に接続される。ＤＴＶ７００は、デジタル放送を受信してディスプレイに表示するほか、内蔵するブラウザを使用してネットワーク上で提供される種々のコンテンツにアクセス可能に構成されている。移動体端末８００は、移動体通信網６００を介してネットワーク５００に接続される。移動体端末８００にはブラウザが搭載されており、ネットワーク上で提供される種々のコンテンツにアクセス可能である。ＤＴＶ７００と移動体端末８００は、ネットワーク５００を介することなく、赤外線通信、Ｂｌｕｅｔｏｏｔｈ（登録商標）等の短距離通信手段を介して直接通信できるようにも構成されている。なお、図１にはＤＴＶ７００と移動体端末８００とが一台ずつ示されているが、それぞれ複数台あってもよい。
【００１３】
検索サーバ２００は、ウェブページやウェブコンテンツの検索機能をウェブ上で提供するサーバである。ウェブサーバ３００は、ＨＴＭＬ（HyperText Markup Language）等で記述されたウェブページなどの文書データ、イメージデータ、音声データ、動画データなどを含むコンテンツデータを提供するサーバである。
【００１４】
管理装置１００は、ＤＴＶ７００と移動体端末８００をそれぞれ一意に特定する識別情報を互いに関連付けて記憶することで、両者の連係動作を実現するための装置である。管理装置１００の詳細な構成および連係動作については後述する。
【００１５】
管理装置１００、検索サーバ２００、ウェブサーバ３００は、いずれもネットワーク５００に接続され、ＤＴＶ７００および移動体端末８００からアクセス可能である。
【００１６】
図２は、ＤＴＶ７００のハードウェア構成図である。ＤＴＶ７００は、ＣＰＵ（Central Processing Unit）７０１、ＲＡＭ（Random Access Memory）７０２、ディスプレイ７０３、アンテナ７０４、アンテナ入力端子７０５、受信装置７０６、デコーダ７０７、デスクランブラ７０８、ＩＣカード７０９、ＲＯＭ（Read Only Memory）７１０、フラッシュメモリ７１１、電源７１２、通信装置７１３、通信端子７１４、サブマイコン７１５、赤外線受信装置７１６、キー入力装置７１７、システムバス７１８を備える。
【００１７】
受信装置７０６は、アンテナ７０４を介してデジタル放送を受信する。通信装置７１３は、通信端子７１４を介してネットワーク５００に接続し、各種データの送受信を行う。赤外線受信装置７１６は、赤外線ポートに向けて発信された赤外線信号を受信してデータを取り出す。上述の各構成要素はいずれも周知のものであるから、これ以上詳細な説明は省略する。
【００１８】
図３は、移動体端末８００のハードウェア構成図である。移動体端末８００、ＣＰＵ８０１、ＲＡＭ８０２、ディスプレイ８０３、アンテナ８０４、通信装置８０５、カメラ８０６、ＲＯＭ８０７、キー入力装置８０８、電源８０９、記録装置８１０、赤外線通信装置８１１、システムバス８１２を備える。
【００１９】
通信装置８０５は、各種通信方式による音声およびデータの通信を制御する。データ通信方式は、ＩＥＥＥ８０２．１ｂ／ｇなどの無線ＬＡＮ、パケット通信によるデータ通信などの任意の方式を含む。赤外線通信装置８１１は、所与のデータを赤外線信号に変換して赤外線ポートから送信する。上述の各構成要素はいずれも周知のものであるから、これ以上詳細な説明は省略する。
【００２０】
続いて、本実施形態に係るＤＴＶと移動体端末との連係動作について説明する。本実施形態では、まず管理装置１００において、ＤＴＶ７００の識別符号（以下、「ＤＴＶ用ＩＤ」と呼ぶ）と、移動体端末８００の識別符号（以下、「移動体用ＩＤ」と呼ぶ）との関連付けを実施する。その後、移動体端末のユーザがＤＴＶに対して所定の操作をすると、移動体端末８００で閲覧中のコンテンツデータがＤＴＶ７００に表示され、以降、移動体端末８００を用いてＤＴＶに表示されるコンテンツを制御できるようになる。また、必要に応じて、移動体端末で文字入力をするように制御を戻すことができるようにする。本明細書では、このように移動体端末でＤＴＶに表示されるコンテンツを制御することを「連係動作」と呼ぶ。
【００２１】
図４は、管理装置１００、ＤＴＶ７００、および移動体端末８００のうち、本実施形態に係る移動体端末とＤＴＶの連係動作に関与する部分の機能ブロック図である。これらの機能ブロックは、任意のコンピュータのＣＰＵ、メモリ、その他のＬＳＩ（Large Scale Integration、大規模集積回路）を含むハードウェアと、メモリにロードされたプログラムなどのソフトウェア、およびファームウェアの連係によって実現される。
【００２２】
移動体端末８００は、データ表示部８２０、ＩＤ保持部８２１、文字入力部８２２、ネットワーク通信部８２４、短距離通信部８２６を備える。
データ表示部８２０は、ネットワークを介して取得されるウェブページなどのコンテンツデータを移動体端末８００のディスプレイ８０３に表示する。ＩＤ保持部８２１は、移動体端末８００に予め割り振られている機体番号や、管理装置１００から付与される移動体用ＩＤを記憶する。文字入力部８２２は、キー入力装置８０８で入力された文字データをネットワーク通信部８２４または短距離通信部８２６に与える。ネットワーク通信部８２４は、移動体通信網６００を介してネットワーク５００と接続し、ウェブページなどのコンテンツデータを受信したり、または文字入力部８２２からの文字データをネットワークに送信したりする。短距離通信部８２６は、赤外線通信装置８１１を使用してＤＴＶ７００にデータを送信したりコマンドを与える。
【００２３】
ＤＴＶ７００は、データ表示部７２０、ＩＤ保持部７２１、ネットワーク通信部７２２、短距離通信部７２４を備える。データ表示部８２０は、ネットワークを介して取得されるコンテンツデータをＤＴＶ７００のディスプレイ７０３に表示する。ＩＤ保持部７２１は、管理装置１００から与えられるＤＴＶ用ＩＤを記憶する。ネットワーク通信部７２２は、ネットワーク５００と接続してコンテンツデータを受信したり、データをネットワークに送信したりする。短距離通信部７２４は、赤外線受信装置７１６を使用して移動体端末８００からの文字データやコマンドを受信する。
【００２４】
管理装置１００は、ＩＤ登録部１０２、データ通信部１０６、データ加工部１０８を備える。ＩＤ登録部１０２は、ＤＴＶ７００や移動体端末８００からの要求に応答してそれぞれにＩＤを付与するとともに、両者のＩＤを関連付けて保持する。データ通信部１０６は、ネットワークを介してＤＴＶ７００、移動体端末８００、検索サーバ２００、ウェブサーバ３００と通信する。データ加工部１０８は、必要に応じて、サーバから受け取ったコンテンツデータを、ＤＴＶ７００や移動体端末８００の性能に適した形態に変換する処理を行う。
【００２５】
図５は、管理装置１００において移動体端末８００とＤＴＶ７００の関連付けをする際のシーケンス図である。
まず、ＤＴＶ７００の電源が投入されたり、ＤＴＶ７００のブラウザが起動された場合などに、ＤＴＶ７００のネットワーク通信部７２２は、通信装置７１３に付与されているＭＡＣアドレス（Media Access Control address）を管理装置１００に送信するとともに、管理装置１００に対してＤＴＶ用ＩＤを発行するように要求する（Ｓ１）。管理装置１００のＩＤ登録部１０２は、ＭＡＣアドレスを受け取る。また、ＩＤ登録部１０２は、所定の規則にしたがってＤＴＶ用ＩＤを発行し（Ｓ２）、ＤＴＶ７００に通知する（Ｓ３）。ＩＤ登録部１０２は、発行したＤＴＶ用ＩＤとＭＡＣアドレスとを関連付けてデータベース（図示せず）に記憶する。
【００２６】
ＤＴＶ７００のネットワーク通信部７２２は、ＤＴＶ用ＩＤを受け取ってＩＤ保持部７２１に格納する。
【００２７】
ユーザが移動体端末８００にインストールされている登録用アプリケーションを起動すると、ネットワーク通信部８２４は、ＩＤ保持部８２１に記録されている機体番号を管理装置１００に送信するとともに、管理装置１００に対して移動体用ＩＤを発行するように要求する（Ｓ４）。管理装置１００のＩＤ登録部１０２は、機体番号を受け取る。また、ＩＤ登録部１０２は、所定の規則にしたがって移動体用ＩＤを発行し（Ｓ５）、移動体端末８００に通知する（Ｓ６）。ＩＤ登録部１０２は、発行した移動体用ＩＤと機体番号とを関連付けてデータベースに記憶する。
【００２８】
移動体端末８００のネットワーク通信部８２４は、移動体用ＩＤを受け取ってＩＤ保持部８２１に格納する。
【００２９】
続いて、移動体端末８００の登録用アプリケーションが、ＤＴＶ７００との関連付けを完了させるために、移動体端末８００とＤＴＶ７００との赤外線通信をするようユーザに要求される。赤外線通信が確立されると、移動体端末８００の短距離通信部８２６は、ＩＤ保持部８２１内の移動体用ＩＤを赤外線信号に変換して、ＤＴＶ７００に向けて送出する（Ｓ７）。
【００３０】
ＤＴＶ７００の短距離通信部７２４が移動体用ＩＤを受け取ると、ネットワーク通信部７２２は、ＩＤ保持部７２１からＤＴＶ用ＩＤを読み出し、移動体用ＩＤとともに管理装置１００に対して送信する（Ｓ８）。
【００３１】
管理装置１００のＩＤ登録部１０２は、移動体用ＩＤとＤＴＶ用ＩＤを受け取ることによって、両者の関連付けが要求されていることを知り、移動体用ＩＤとＤＴＶ用ＩＤとを関連付けるようにデータベースを修正する（Ｓ９）。これによって、管理装置１００は、これらＩＤで特定される移動体端末とＤＴＶとを連係動作させることが可能になる。
【００３２】
以上の手順によって、ＤＴＶ７００と移動体端末８００の関連付けが完了し、両者を連係させる準備ができた状態になる。
【００３３】
図６は、図５で説明したＤＴＶ７００と移動体端末８００の関連付けの際に、両者のディスプレイにそれぞれ表示される画面例を示す。
画面１２０は、移動体端末８００において登録用アプリケーションを起動したときに、ディスプレイに表示される。ユーザがＤＴＶとの連係を希望する場合、画面１２０に表示される「連係」ボタン１２２をクリックすると、画面１２４が表示される。画面１２４には、移動体端末の赤外線ポートをＤＴＶに向けるよう促す指示が表示される。ユーザがその通りに実施すると、図５のＳ７の処理が実行される。管理装置１００で移動体端末８００とＤＴＶ７００の関連付けが完了すると、画面１２６が表示される。画面１２６には、ＤＴＶ７００との連係を解除するための「解除」ボタン１２８も表示される。
【００３４】
画面２２０は、ＤＴＶ７００のブラウザで予め設定されているポータルサイトにアクセスしたときに表示される。画面２２０では、移動体端末と連係させるときには、移動体端末側で操作すべきことが指示される。画面２２２は、移動体端末８００から赤外線通信により移動体用ＩＤが送信されたときに表示される。画面２２４は、管理装置１００においてＤＴＶ７００と移動体端末８００の関連付けがなされているときに表示される。画面２２６は、管理装置１００で移動体端末８００とＤＴＶ７００の関連付けが完了したときに表示される。画面２２６には、移動体端末８００との連係を解除するための「解除」ボタン２２８も表示される。
【００３５】
図７は、ＤＴＶ７００と移動体端末８００の関連付けが完了した後に、管理装置１００を介してＤＴＶ７００と移動体端末８００とを連係動作させる際のシーケンス図である。
【００３６】
図７において、Ｓ２０〜Ｓ２６は、連係開始前のシーケンスを示す。移動体端末８００のネットワーク通信部８２４からは、移動体用ＩＤと所望のＵＲＬ（Uniform Resource Locator）とを含むコンテンツ要求が管理装置１００に送信される（Ｓ２０）。管理装置１００は、コンテンツ要求内の移動体用ＩＤを参照し、そのＩＤが登録済みであることを確認すると、ＵＲＬで指定されたウェブサーバ３００にアクセスして要求されたコンテンツデータを取得し（Ｓ２２）、移動体端末８００に送信する（Ｓ２４）。移動体端末８００は、送信されたコンテンツデータを表示する（Ｓ２６）。
このように、後述する切替要求が発せられる前は、移動体端末８００は管理装置１００を介してネットワーク５００にアクセスする。また、この時点ではＤＴＶ７００はネットワークに接続していなくてもよい。
【００３７】
Ｓ３０〜Ｓ４２は、ＤＴＶ７００と移動体端末８００との連係を開始する際のシーケンスを示す。移動体端末のユーザがＤＴＶと移動体端末とを連係させたい場合、例えば、移動体端末８００のディスプレイ８０３に表示された動画や静止画などのコンテンツをＤＴＶ７００で視聴したい場合、短距離通信部８２６は、移動体端末８００をＤＴＶ７００のコントローラとして機能させることを通知する切替要求信号を送信する（Ｓ３０）。切替要求信号には、移動体用ＩＤが含まれる。この送信は、赤外線通信などの短距離通信手段を使用して移動体端末８００とＤＴＶ７００の間で直接行うことが好ましい。しかしながら、ネットワーク通信部８２４によってネットワーク５００を経由して送信されてもよい。ＤＴＶ７００は、切替要求信号を受け取ると、ＤＴＶ用ＩＤを付加したうえで管理装置１００に転送する（Ｓ３２）。
【００３８】
切替要求信号を送信すると、移動体端末８００は、ＤＴＶ７００のコントローラとして機能する（Ｓ３６）。例えば、移動体端末上の方向キーを使ってコンテンツの選択や再生ができたり、数字キーに条件設定や音量調整などの操作を割り当てたりすることができる。コントローラとして機能する間は、移動体端末８００から直接ネットワークにアクセスすることはできなくなることが好ましい。
【００３９】
管理装置１００は、切替要求信号を受け取ると、それに含まれる移動体用ＩＤとＤＴＶ用ＩＤを取得し、それらが関連付けられてデータベースに記録されているか否かを確認する。この確認ができると、切替処理を実行する（Ｓ３４）。この切替処理は、移動体端末８００から送られるコンテンツ要求に対応するコンテンツデータを、移動体端末ではなく、移動体端末に関連付けられているＤＴＶ７００に送信するものである。
【００４０】
切替処理が終了すると、管理装置１００は移動体端末８００で閲覧中のコンテンツデータをウェブサーバから再び取得し（Ｓ３８）、ＤＴＶ７００に送信する（Ｓ４０）。ＤＴＶ７００は、送信されたコンテンツデータを表示する（Ｓ４２）。
【００４１】
以上のシーケンスにより、管理装置１００で関連付けされた移動体端末８００とＤＴＶ７００の間では、移動体端末８００と同一のコンテンツをＤＴＶ７００のディスプレイに表示させることができる。
【００４２】
Ｓ５０〜Ｓ５８は、ＤＴＶと移動体端末が連係中のシーケンスを示す。移動体端末８００からのウェブページなどのコンテンツ要求は、短距離通信部８２６によってＤＴＶ７００に送信され（Ｓ５０）、その後管理装置１００に転送される（Ｓ５２）。なお、コンテンツ要求は、ネットワークを介して管理装置１００に直接送信されてもよい。
【００４３】
管理装置１００は、ウェブサーバにアクセスして要求されたコンテンツデータを取得し（Ｓ５４）、移動体端末８００ではなく、移動体端末に関連付けられているＤＴＶ７００に送信する（Ｓ５６）。ＤＴＶ７００は、送信されたコンテンツデータを表示する（Ｓ５８）。
【００４４】
以上のように、ＤＴＶと移動体端末の連係中は、移動体端末をＤＴＶのリモートコントローラのように使用することが可能になる。つまり、移動体端末８００に備えられているキー入力装置８０８を使用して、ＤＴＶ７００に表示されるコンテンツデータの制御、コンテンツデータの更新、新たなコンテンツデータの取得といった操作ができるようになる。このとき、移動体端末８００のディスプレイには、ＤＴＶ７００に表示されているコンテンツデータと同一のデータが表示されることが好ましい。
【００４５】
Ｓ７２〜Ｓ９０は、ＤＴＶと移動体端末の連係中に、文字入力を移動体端末側で行う際のシーケンスを示す。
【００４６】
例えば検索サイトのキーワード入力欄のように、ＤＴＶで表示中のコンテンツデータに入力フォームが含まれている場合を想定する。この場合、ユーザは移動体端末８００を操作して、文字入力を移動体端末側で実行するための切替要求信号をＤＴＶ７００から管理装置１００に対して送信させる（Ｓ７２）。管理装置１００は、切替要求信号を受け取ると、移動体端末で入力された文字データを、表示中のコンテンツデータを提供するサーバに送信するようにする切替処理を実施する（Ｓ７４）。切替処理が完了すると、ＤＴＶ７００に対して完了通知を送信し（Ｓ７６）、ＤＴＶ７００は完了通知を移動体端末８００に転送する（Ｓ７８）。この通知に応答して、移動体端末８００は、一時的にＤＴＶのコントローラとして機能を停止し、ネットワークに独自にアクセスできるようになる（Ｓ８０）。
【００４７】
ユーザが移動体端末で文字入力を確定させると、入力された文字データが管理装置１００に送信される（Ｓ８２）。管理装置１００は文字データを受け取り、コンテンツデータを提供するサーバに文字データを送信する（Ｓ８６）。これに応答して、文字データに対応する結果、例えば検索サイトであれば検索結果がサーバから管理装置１００に送信され、管理装置１００はこれを移動体端末８００でなくＤＴＶ７００に送信する（Ｓ８８）。ＤＴＶ７００は、送信された結果を表示する（Ｓ９０）。
【００４８】
このように、Ｓ７２〜Ｓ９０の一連のシーケンスは、ＤＴＶのリモートコントローラとして動作している移動体端末を、一時的にＤＴＶから切り離して、独自にネットワークに接続することを可能にするためのものである。この結果、ユーザは移動体端末のディスプレイを見て手元で文字入力ができるため、視線の移動が少なくなり入力が容易になる。また、例えばコンテンツデータで個人情報の入力が要求されるような場合、ＤＴＶ上で入力をすると都合が悪い。このような場合、移動体端末で文字入力することで、プライバシーを保護することができる。
【００４９】
なお、管理装置１００から移動体端末８００またはＤＴＶ７００にコンテンツデータを送信する際に、データ加工部１０８によって、機器の特性に適した形態に変換してから送信してもよい。一例として、コンテンツデータがＨＴＭＬで記述されている場合は、移動体端末の小さなディスプレイまたはＤＴＶの大きなディスプレイで閲覧しやすいようにサイズを変換したり、コンテンツデータの容量が大きい場合には、移動体端末のＲＡＭの容量に合わせて複数のデータに分割したり、コンテンツデータが画像である場合に移動体端末やＤＴＶのディスプレイの性能に合わせて解像度や画素数を変換するといった処理が考えられる。
【００５０】
図８は、Ｓ３０〜Ｓ４２のシーケンスにおける移動体端末８００とＤＴＶ７００にそれぞれ表示される画面例を示す。移動体端末においてコンテンツデータを閲覧する画面１４０の下方には、移動体端末をＤＴＶのコントローラとして機能させる際にクリックする「切替」ボタン１４４が表示される。この時点では両者は連係していないので、ＤＴＶ７００にはコンテンツデータは表示されていない（画面２４０）。
ユーザが切替ボタン１４４をクリックすると、Ｓ３０の切替要求信号がＤＴＶに対して送信される。一連の処理が終了すると、画面２４２のように、移動体端末８００に表示中のコンテンツデータがＤＴＶ７００に表示される。画面１４６のように、移動体端末には元のコンテンツデータがそのまま表示される。画面１４６、２４２には、移動体端末８００がＤＴＶ７００のリモートコントローラとして機能することを示すメッセージ１４８、２４４も表示される。
【００５１】
図９は、Ｓ７２〜Ｓ９０のシーケンスにおける移動体端末８００とＤＴＶ７００にそれぞれ表示される画面例を示す。ＤＴＶで閲覧中のコンテンツデータに文字入力用のフォーム２５２が表示されると、ＤＴＶの画面２５０には、移動体端末で文字入力をするように切り替えるかをユーザに尋ねるメッセージ２５４と、切替ボタン２５６が表示される。このとき、移動体端末にも同様のコンテンツデータが表示されるが、この時点では移動体端末はＤＴＶのコントローラとして機能しているので、端末側での文字入力はできない。
ユーザが切替ボタン２５６をクリックすると、Ｓ７２の切替要求がＤＴＶ７００から管理装置１００に送信される。これによって、上述したように移動体端末で文字入力ができるようになる。移動体端末８００で入力された文字データは、ＤＴＶ７００には表示されることなく管理装置１００に送信される。画面１５４、２５８には、移動体端末で文字入力をするように指示するメッセージ１５８、２６２が表示される。
【００５２】
移動体端末８００またはＤＴＶ７００において、ブラウザを終了したり、ネットワーク接続を切断したり、または機体の電源を切った場合、あるいは移動体端末８００が移動体通信網６００の圏外に出た場合には、管理装置１００は、移動体端末８００とＤＴＶ７００との関連付けを破棄してもよいし、次に移動体端末８００またはＤＴＶ７００からのネットワーク接続が回復するまで、関連付けを保持していてもよい。また、関連付けがなされているにもかかわらず、一定時間移動体端末８００またはＤＴＶ７００からの操作が無い場合、管理装置１００は、これらの関連付けを破棄してもよい。
【００５３】
以上説明したように、本実施形態によれば、移動体端末とＤＴＶの関連付けを行い両者を連係させることで、移動体端末で閲覧しているコンテンツデータをＤＴＶでも同時に閲覧することが可能になる。また、移動体端末をＤＴＶのコントローラとして用いることが可能になる。さらに、ＤＴＶと移動体端末の連係中に、文字入力の必要が生じた場合は、文字入力を移動体端末上で実施するように切り替えることも可能になる。
【００５４】
以上、本発明を実施の形態をもとに説明した。この実施の形態は例示であり、それらの各構成要素や各処理プロセスの組合せにいろいろな変形例が可能なこと、またそうした変形例も本発明の範囲にあることは当業者に理解されるところである。
【００５５】
実施の形態では移動体端末で閲覧しているコンテンツデータをＤＴＶに表示させることを述べたが、逆に、ＤＴＶで閲覧中のデータを移動体端末に表示させることも、同様の手順で実現可能である。このようにすることで、コンテンツデータの性質に応じて、その都度ユーザが使用しやすい機体を使用してデータ閲覧できるようになる。
【００５６】
実施の形態では、管理装置１００によって関連付ける装置として移動体端末とＤＴＶを例にして説明したが、ネットワークに接続可能であれば他の装置でも同様に関連付けをすることができる。例えば、パーソナルコンピュータ、ＤＶＤ（Digital Versatile Disk）レコーダ、ＨＤＤ（Hard Disk Drive）レコーダ、ＤＶＤプレーヤ、ゲーム機、リモートコントローラなどを関連付けることもできる。機器の組合せとしては、移動体端末とＤＴＶのように、画面サイズが比較的小さく手元で入力操作ができるような機器と、画面サイズが比較的大きい機器とを連係させて、必要に応じて表示を切り替えるようにすると、ユーザビリティを高めることができる。
【００５７】
実施の形態では、ＤＴＶ７００と移動体端末８００とが一台ずつの場合について説明したが、一台のＤＴＶまたは移動体端末に複数を関連付けしたり、複数台対複数台で関連付けることも可能である。
【００５８】
ＤＴＶ７００と移動体端末８００間の短距離通信として赤外線通信を用いることを述べたが、無線ＬＡＮ（Local Area Network）、Ｂｌｕｅｔｏｏｔｈ（登録商標）等の通信手段を使用してもよい。
【図面の簡単な説明】
【００５９】
【図１】本発明の一実施形態に係る情報表示システムを示す図である。
【図２】ＤＴＶのハードウェア構成図である。
【図３】移動体端末のハードウェア構成図である。
【図４】管理装置、ＤＴＶ、および移動体端末のうち、本実施形態に係る移動体端末とＤＴＶの連係動作に関与する部分の機能ブロック図である。
【図５】管理装置において移動体端末とＤＴＶの関連付けをする際のシーケンス図である。
【図６】図５で説明したＤＴＶと移動体端末の関連付けの際に、両者のディスプレイにそれぞれ表示される画面例を示す図である。
【図７】ＤＴＶと移動体端末の関連付けが完了した後に、管理装置を介してＤＴＶと移動体端末とを連係動作させる際のシーケンス図である。
【図８】Ｓ３０〜Ｓ４２のシーケンスにおける移動体端末とＤＴＶにそれぞれ表示される画面例を示す図である。
【図９】Ｓ７２〜Ｓ９０のシーケンスにおける移動体端末とＤＴＶにそれぞれ表示される画面例を示す図である。
【符号の説明】
【００６０】
１０  情報表示システム、  １００  管理装置、  １０２  ＩＤ登録部、  １０６  データ通信部、  １０８  データ加工部、  ２００  検索サーバ、  ３００  ウェブサーバ、  ５００  ネットワーク、  ６００  移動体通信網、  ７００  ＤＴＶ、  ７２０  データ表示部、  ７２１  ＩＤ保持部、  ７２２  ネットワーク通信部、  ７２４  短距離通信部、  ８００  移動体端末、  ８２０  データ表示部、  ８２１  ＩＤ保持部、  ８２２  文字入力部、  ８２４  ネットワーク通信部、  ８２６  短距離通信部。
【図１】
2008278266.tif 000003
【図２】
2008278266.tif 000004
【図３】
2008278266.tif 000005
【図４】
2008278266.tif 000006
【図５】
2008278266.tif 000007
【図６】
2008278266.tif 000008
【図７】
2008278266.tif 000009
【図８】
2008278266.tif 000010
【図９】
2008278266.tif 000011